(57)【要約】【課題】ＷＷＷサーバ自体が故障したことを示すテキストデータを、不特定多数の端末装置にリアルタイムで送信する。【解決手段】本発明のＷＷＷサーバ１によれば、ＷＷＷサーバ自体に故障が発生したか否かを判定するＷＷＷサーバ監視部１Ｄと、ＷＷＷサーバ自体に異常が発生したと判定した場合に、通信ネットワークを介して閲覧要求してきた端末装置のＩＰアドレスを取得する送信元特定部１Ｇと、ＷＷＷサーバ自体に故障が発生したことを示すテキストデータを、取得されたＩＰアドレスに対応する端末装置に送信する故障情報送信部１Ｈとを備えて構成する。【選択図】　　図１
2004133546.tif 000002
【特許請求の範囲】
【請求項１】
ＷＷＷサーバ自体に故障が発生したことを示すテキストデータを、通信ネットワークを介して接続された端末装置に送信するＷＷＷサーバであって、
前記ＷＷＷサーバ自体に故障が発生したか否かを判定するＷＷＷサーバ故障発生判定手段と、
前記ＷＷＷサーバ故障発生判定手段により前記ＷＷＷサーバ自体に異常が発生したと判定した場合に、通信ネットワークを介して閲覧要求してきた端末装置のＩＰアドレスを取得するＩＰアドレス取得手段と、
予め定められたテキストデータを前記ＩＰアドレス取得手段により取得されたＩＰアドレスに対応する端末装置に送信するテキストデータ送信手段とを具備したことを特徴とするＷＷＷサーバ。
【請求項２】
ＷＷＷサーバ自体に故障が発生した場合に、当該ＷＷＷサーバが故障したことを示すテキストデータを、通信ネットワークを介して接続された端末装置に提供するＷＷＷサーバの故障情報提供方法であって、
前記ＷＷＷサーバ自体に故障が発生したか否かを判定するＷＷＷサーバ故障発生判定工程と、
前記ＷＷＷサーバ故障発生判定工程により前記ＷＷＷサーバ自体に異常が発生したと判定した場合に、通信ネットワークを介して閲覧要求してきた端末装置のＩＰアドレスを取得するＩＰアドレス取得工程と、
予め定められたテキストデータを前記ＩＰアドレス取得工程により取得されたＩＰアドレスに対応する端末装置に送信するテキストデータ送信工程とを含むことを特徴とするＷＷＷサーバの故障情報提供方法。
【請求項３】
ＷＷＷサーバの有するメモリに記憶され、当該ＷＷＷサーバ自体に故障が発生した場合に、当該ＷＷＷサーバ自体が故障したことを示すテキストデータを、通信ネットワークを介して接続された端末装置に送信するためのプログラムであって、
前記ＷＷＷサーバのコンピュータを、
ＷＷＷサーバ自体に故障が発生したか否かを判定するＷＷＷサーバ故障発生判定手段、
前記ＷＷＷサーバ故障発生判定手段により前記ＷＷＷサーバ自体に異常が発生したと判定した場合に、通信ネットワークを介して閲覧要求してきた端末装置のＩＰアドレスを取得するＩＰアドレス取得手段、
予め定められたテキストデータを前記ＩＰアドレス取得手段により取得されたＩＰアドレスに対応する端末装置に送信するテキストデータ送信手段として機能させるためのプログラム。
【発明の詳細な説明】
【０００１】
【発明の属する技術分野】
本発明は、故障が発生した場合に、ＷＷＷサーバ自体が故障したことを示すテキストデータを、通信ネットワークを介して接続された端末装置に送信する機能を有するＷＷＷサーバ、ＷＷＷサーバの故障情報提供方法、及びプログラムに関する。
【０００２】
【従来の技術】
従来から用いられているＷＷＷサーバに故障が発生した場合の故障情報を、当該ウェブ・ページの利用者に提供する手法としては、プロバイダ設備により故障情報をウェブ・ページ上に掲載する手法が行われている（例えば、特許文献１参照）。
【０００３】
【特許文献１】
特開２００２―１０８７２８号公報
【０００４】
【発明が解決しようとする課題】
しかしながら、このＷＷＷサーバ自体に故障が発生した場合の故障情報を、ウェブ・ページの利用者に提供する手法では、端末装置の利用者がウェブ・ページにアクセスした場合には、ＷＷＷサーバ自体が故障したことを知ることが出来るが、ＷＷＷサーバの故障原因を特定した後でなければ、ウェブ・ページにＷＷＷサーバ自体が故障していることが掲載されないので、リアルタイムで端末装置の利用者に提供することができない。
【０００５】
また、当該プロバイダと契約した特定のユーザの有する特定の端末装置に対してしかＷＷＷサーバが故障していることを示す故障情報を提供できない可能性がある。
【０００６】
そこで本発明は、上記事情に考慮してなされたもので、ＷＷＷサーバ自体に故障が発生した場合に、故障が発生したことを示すテキストデータを、通信ネットワークを介して閲覧要求を送信した不特定の端末装置にリアルタイムで送信することを可能にする、ＷＷＷサーバ、ＷＷＷサーバの故障情報提供方法、及びプログラムを提供することを目的とする。
【０００７】
【課題を解決するための手段】
本発明の主旨は、要求の送信元のＩＰアドレスを取得する構成により、ＷＷＷサーバ自体に故障が発生した場合に、故障が発生したことを示すテキストデータを、通信ネットワークを介して閲覧要求を送信した不特定の端末装置にリアルタイムで送信することを可能にするという効果を達成することにある。
【０００８】
第１の発明は、ＷＷＷサーバ自体に故障が発生したことを示すテキストデータを、通信ネットワークを介して接続された端末装置に送信するＷＷＷサーバであって、ＷＷＷサーバ自体に故障が発生したか否かを判定するＷＷＷサーバ故障発生判定手段と、ＷＷＷサーバ故障発生判定手段によりＷＷＷサーバ自体に異常が発生したと判定した場合に、通信ネットワークを介して閲覧要求してきた端末装置のＩＰアドレスを取得するＩＰアドレス取得手段と、予め定められたテキストデータをＩＰアドレス取得手段により取得されたＩＰアドレスに対応する端末装置に送信するテキストデータ送信手段とを具備したＷＷＷサーバである。
【０００９】
このように、ＷＷＷサーバ故障発生判定手段により、ＷＷＷサーバ自体に故障が発生したか否かが判定され、当該ＷＷＷサーバ自体に異常が発生したと判定された場合に、ＩＰアドレス取得手段により、通信ネットワークを介して閲覧要求してきた端末装置のＩＰアドレスが取得され、テキストデータ送信手段により、予め定められたテキストデータがＩＰアドレス取得手段により取得されたＩＰアドレスに対応する端末装置に送信されるので、ＷＷＷサーバ自体に故障が発生した場合に、故障が発生したことを示すテキストデータを、通信ネットワークを介して不特定の端末装置にリアルタイムで送信することが出来る。
【００１０】
第２の発明は、ＷＷＷサーバ自体に故障が発生した場合に、当該ＷＷＷサーバが故障したことを示すテキストデータを、通信ネットワークを介して接続された端末装置に提供するＷＷＷサーバの故障情報提供方法であって、ＷＷＷサーバ自体に故障が発生したか否かを判定するＷＷＷサーバ故障発生判定工程と、ＷＷＷサーバ故障発生判定工程によりＷＷＷサーバ自体に異常が発生したと判定した場合に、通信ネットワークを介して閲覧要求してきた端末装置のＩＰアドレスを取得するＩＰアドレス取得工程と、予め定められたテキストデータをＩＰアドレス取得工程により取得されたＩＰアドレスに対応する端末装置に送信するテキストデータ送信工程とを含むＷＷＷサーバの故障情報提供方法である。
【００１１】
このように、ＷＷＷサーバ故障発生判定工程により、ＷＷＷサーバ自体に故障が発生したか否かが判定され、当該ＷＷＷサーバ自体に異常が発生したと判定された場合に、ＩＰアドレス取得工程により、通信ネットワークを介して閲覧要求してきた端末装置のＩＰアドレスが取得され、テキストデータ送信工程により、予め定められたテキストデータがＩＰアドレス取得手段により取得されたＩＰアドレスに対応する端末装置に送信されるので、ＷＷＷサーバ自体に故障が発生した場合に、故障が発生したことを示すテキストデータを、通信ネットワークを介して不特定の端末装置にリアルタイムで送信することが出来る。
【００１２】
第３の発明は、ＷＷＷサーバの有するメモリに記憶され、当該ＷＷＷサーバ自体に故障が発生した場合に、当該ＷＷＷサーバ自体が故障したことを示すテキストデータを、通信ネットワークを介して接続された端末装置に送信するためのプログラムであって、ＷＷＷサーバのコンピュータを、ＷＷＷサーバ自体に故障が発生したか否かを判定するＷＷＷサーバ故障発生判定手段、ＷＷＷサーバ故障発生判定手段によりＷＷＷサーバ自体に異常が発生したと判定した場合に、通信ネットワークを介して閲覧要求してきた端末装置のＩＰアドレスを取得するＩＰアドレス取得手段、予め定められたテキストデータをＩＰアドレス取得手段により取得されたＩＰアドレスに対応する端末装置に送信するテキストデータ送信手段として機能させるためのプログラムである。
【００１３】
このように、本発明に係るプログラムによれば、ＷＷＷサーバのコンピュータを、ＷＷＷサーバ自体に故障が発生したか否かを判定するＷＷＷサーバ故障発生判定手段として機能させ、ＷＷＷサーバ自体に異常が発生したと判定した場合に、通信ネットワークを介して閲覧要求してきた端末装置のＩＰアドレスを取得するＩＰアドレス取得手段として機能させ、予め定められたテキストデータをＩＰアドレス取得手段により取得されたＩＰアドレスに対応する端末装置に送信するテキストデータ送信手段として機能させるので、ＷＷＷサーバ自体に故障が発生した場合に、故障が発生したことを示すテキストデータを、通信ネットワークを介して不特定の端末装置にリアルタイムで送信することが出来る。
【００１４】
【発明の実施の形態】
以下、本発明の一実施の形態について図面を参照して説明する。
【００１５】
図１は、本発明に係るＷＷＷサーバの構成例を示す模式図である。
【００１６】
本実施の形態に係るＷＷＷサーバは、ＩＳＰ（Ｉｎｔｅｒｎｅｔ　Ｓｅｒｖｉｃｅ　Ｐｒｏｖｉｄｅｒ）に設置されているものである。
【００１７】
本実施の形態に係るＷＷＷサーバ１は、図示しない通信ネットワーク、例えばイントラネット又はインターネットを介して接続された、複数の端末装置から送信されたウェブ・ページの閲覧要求に基づいて、当該閲覧要求されたウェブ・ページを送信元の端末装置に送信する、通常のウェブ・ページ提供機能を有する周知のＷＷＷサーバであり、送信テキストデータ入力部１Ａと、送信テキストデータ登録部１Ｂ１Ｂと、送信テキストデータ記憶部１Ｃと、ＷＷＷサーバ監視部１Ｄと、ＷＷＷサーバプロセス部１Ｅと、通信ログファイル記憶部１Ｆと、送信元特定部１Ｇと、故障情報送信部１Ｈとから構成されている。
【００１８】
なお、以下の説明では、説明の簡略化を図る観点から、端末装置は１つだけ接続されている場合について説明するが、複数の場合でも同様であることはいうまでもない。
【００１９】
なお、本実施の形態に係るＷＷＷサーバ１は、記録媒体又は通信ネットワークを介して予めインストールされ、図示しないメモリに記憶されたプログラムに基づいて動作が制御されるコンピュータによってその機能が実現される。
【００２０】
また、本実施の形態に係るＷＷＷサーバ１を構成する各部は、ソフトウェア若しくはハードウェア、又はソフトウェア及びハードウェアの組合わせの何れにより構成されていてもよい。
【００２１】
送信テキストデータ入力部１Ａは、ＷＷＷサーバ自体の停止内容に関するテキストデータ、例えば「復旧は××時××分の予定です。」又は「サーバメンテナンスのため、８時から１２時まで使用できません。」といったメッセージがサーバ運用管理者の操作により入力されるものである。当該入力されたテキストデータは、送信テキストデータ登録部に出力される。
【００２２】
送信テキストデータ登録部１Ｂは、送信テキストデータ入力部１Ａから出力されたテキストデータを受け取り、当該受け取ったテキストデータを、送信テキストデータ記憶部１Ｃに記憶させる機能を有する。
【００２３】
送信テキストデータ記憶部１Ｃには、送信テキストデータ入力部１Ａからサーバー運用管理者の操作により入力された故障内容に関するメッセージが記憶されている。
【００２４】
ＷＷＷサーバ監視部１Ｄは、一定周期でアクセス確認要求信号をＷＷＷサーバプロセス部１Ｅに出力する機能と、ＷＷＷサーバプロセス部１Ｅから出力された応答信号を受け取る機能と、ＷＷＷサーバプロセス部１Ｅから出力された応答信号を所定時間内に受け取るか否かにより、換言すれば、ＷＷＷサーバプロセス部１ＥとＷＷＷサーバ監視部１Ｄとの間にＨＴＴＰ接続が確立したか否かにより当該ＷＷＷサーバ自体に故障が発生したと判定する機能と、当該ＷＷＷサーバ自体に故障が発生したと判定した場合、閲覧要求を送信している端末装置を特定するための実行要求と、故障の発生した時刻情報とを送信元特定部１Ｇに出力する機能と、ＷＷＷサーバプロセス部１Ｅから出力された応答信号を受け取り、ＷＷＷサーバ自体に故障が発生していないと判定する機能とを有する。
【００２５】
ＷＷＷサーバプロセス部１Ｅは、ＷＷＷサーバ監視部１Ｄから出力されたアクセス確認要求信号を受け取り、当該アクセス確認要求信号に応答してＨＴＴＰ接続を確立するための応答信号をＷＷＷサーバ監視部１Ｄに出力する機能と、端末装置から通信ネットワークを介して送信されたウェブ・ページの閲覧要求を受け取り、図示しないウェブ・ページのファイルが記憶されたウェブ・ページ記憶部を検索し、該当するウェブ・ページを読出す機能と、該当するウェブ・ページを図示しない端末装置に送信する機能とを有する。
【００２６】
なお、本発明のポイントのみに説明を絞る観点から、ここでは、本発明のポイントに直接関係のないウェブ・ページ記憶部に関しては、その説明を省略する。
【００２７】
なお、本実施の形態では、ＷＷＷサーバ監視部１Ｄは、ＷＷＷサーバプロセス部１Ｅから出力された応答信号を受け取ることができない場合に、ＷＷＷサーバ自体に故障が発生していると判定する機能を有しているが、これに限らず、ＷＷＷサーバ１に記憶されたＷＷＷサーバ内部のログ情報にアクセスし、当該アクセスの結果、ＷＷＷサーバ自体のログ情報があるか否かによりＷＷＷサーバ自体に故障が発生しているか否かを判定する機能を有していてもよい。
【００２８】
この場合、ＷＷＷサーバ監視部１ＤからＷＷＷサーバプロセス部１Ｅにアクセスしたアクセス結果がログ情報として記憶されるログ情報記憶部を別途設けるものとする。
【００２９】
なお、この場合、ログ情報記憶部に記憶されるログ情報は、ＷＷＷサーバ監視部１ＤからＷＷＷサーバプロセス部１Ｅに対してアクセスのあった時刻及びＷＷＷサーバ監視部１Ｄに割り当てられたＩＤ情報を含むことがより好ましい。
【００３０】
また、この場合、ＷＷＷサーバプロセス部１Ｅには、当該ログ情報記憶部を検索し、当該検索結果として得られたログ情報をＷＷＷサーバ監視部１Ｄに送信する機能を付加し、かつ、ＷＷＷサーバ監視部１Ｄには、ＷＷＷサーバプロセス部１Ｅから送信されたログ情報により当該ＷＷＷサーバ自体に故障が発生したか否かを判定する機能を付加するものとする。
【００３１】
通信ログファイル記憶部１Ｆには、端末装置から送信された要求の種類、要求を送信した端末装置のＩＰアドレス、及びアクセス時刻等のログ情報を含むログファイルが記憶されており、送信元特定部１Ｇによって時刻データを検索キーとして検索され、当該検索結果によりＩＰアドレス等のログ情報を含むログファイルが読出される。
【００３２】
送信元特定部１Ｇは、ＷＷＷサーバ監視部１Ｄから出力された実行要求と時刻データとを受け取り、通信ログファイル記憶部１Ｆを時刻データを検索キーとして検索する機能と、当該検索結果として送信元の端末装置のＩＰアドレスを読出す機能と、当該読出したＩＰアドレスを故障情報送信部１Ｈに出力する機能とを有している。
【００３３】
故障情報送信部１Ｈは、送信元特定部１Ｇから出力されたＩＰアドレスを受け取った場合に、送信テキストデータ記憶部１Ｃを検索する機能と、当該検索の結果、該当するメッセージを送信テキストデータ記憶部１Ｃから読出す機能と、当該読出したメッセージを含むパケットを作成する機能と、当該作成したパケットを前述したＩＰアドレスに対応する図示しない端末装置に送信する機能とを有する。
【００３４】
なお、本実施の形態に係る故障情報送信部１Ｈは、ＷＷＷサーバに故障が発生したと判定した場合に、予め入力されたメッセージを、要求の送信元のＩＰアドレスに対応する端末装置に送信する機能を有していたが、これに限らず、故障情報送信部１Ｈは、周知のＳＭＴＰ（Ｓｉｍｐｌｅ　Ｍａｉｌ　Ｔｒａｎｓｆｅｒ　Ｐｒｏｔｏｃｏｌ）のプロトコルに従うものであってもよい。
【００３５】
この場合、故障情報送信部１Ｈは、予め入力されたテキストデータを含むメールを作成し、作成したメールを、ＷＷＷサーバとは別に設けられたメールサーバの端末装置のユーザのメールボックスにＳＭＴＰのプロトコルに従って周知のＭＴＡ（Ｍｅｓｓａｇｅ　Ｔｒａｎｓｆｅｒ　Ａｇｅｎｔ）により転送される。
【００３６】
従って、この場合、ユーザは、端末装置に予めインストールされたプログラムであるＭＵＡ（Ｍａｉｌ　Ｕｓｅｒ　Ａｇｅｎｔ）によって、当該メールボックス内に転送された予め入力されたメッセージを含むメールによりＷＷＷサーバに故障が発生したことを確認することになる。
【００３７】
なお、本実施の形態に係るＷＷＷサーバ１は、ＩＳＰに設置されているものであったが、これに限らず、通信ネットワーク上でフリーで公開されているものであってもよいことはいうまでもない。
【００３８】
次に、以上のように構成されたＷＷＷサーバの動作を図を用いて説明する。
【００３９】
図２は、本発明に係るＷＷＷサーバの動作を説明するためのフローチャートである。
【００４０】
本実施の形態に係るＷＷＷサーバ１は、周知のＷＷＷサーバと同様に、常時、通信ネットワーク、例えばインターネットを介して接続された不特定の端末装置から送信された、ウェッブ・ページの閲覧要求を受け取り、当該閲覧要求に該当するウェッブ・ページのデータを閲覧要求の送信元である図示しない端末装置に送信している。
【００４１】
また、本実施の形態に係るＷＷＷサーバ１では、当該閲覧要求があったことを示す、図示しない送信元の端末装置のＩＰアドレス、閲覧要求の受信時刻データ、及び閲覧要求があったウェッブページのＵＲＬ等のログ情報が通信ログファイル記憶部１Ｆに記憶される。
【００４２】
さらに、本実施の形態に係るＷＷＷサーバ１では、故障内容に応じたテキストデータがキーボード又はマウスなどの送信テキストデータ入力部１Ａからサーバ運用管理者の操作により入力され、当該入力されたテキストデータが送信テキストデータ登録部１Ｂによって予め送信テキストデータ記憶部１Ｃに記憶されている。
【００４３】
始めに、ＷＷＷサーバ監視部１Ｄは、一定周期でアクセス要求確認信号をＷＷＷサーバプロセス部１Ｅに出力する（ＳＴ１）。
【００４４】
次に、ＷＷＷサーバプロセス部１Ｅは、当該ＷＷＷサーバプロセス部１ＥとＷＷＷサーバ監視部１Ｄとの間にＨＴＴＰ接続が確立するための応答信号を出力する（ＳＴ２）。
【００４５】
次に、ＷＷＷサーバ監視部１Ｄは、ＷＷＷサーバプロセス部１Ｅから出力された応答信号を所定時間内に受け取ったか否か、換言すれば、ＷＷＷサーバ監視部１ＤとＷＷＷサーバプロセス部１Ｅとの間でＨＴＴＰ接続が確立したか否かにより、ＷＷＷサーバ自体に故障が発生したか否かを判定する（ＳＴ３：ＷＷＷサーバ故障発生判定工程）。ＷＷＷサーバ監視部１Ｄは、この工程ＳＴ３でＷＷＷサーバ自体に故障が発生したと判定した場合（ＳＴ３：Ｙｅｓ）、閲覧要求の送信元の端末装置を特定するための実行要求と故障の発生した時刻データとを、送信元特定部１Ｇに出力する（ＳＴ４）。
【００４６】
次に、送信元特定部１Ｇは、当該実行要求を受け取り、しかる後、通信ログファイル記憶部１Ｆを時刻データを検索キーとして検索し、当該検索の結果、該当する端末装置のＩＰアドレスを読み出す（ＳＴ５：ＩＰアドレス取得工程）。
【００４７】
次に、送信元特定部１Ｇは、読み出したＩＰアドレスを、故障情報送信部１Ｈに出力する（ＳＴ６）。
【００４８】
次に、故障情報送信部１Ｈは、送信元特定部１Ｇから出力されたＩＰアドレスを受け取り、送信テキストデータ記憶部１Ｃを検索し、当該検索結果として該当するテキストデータを読み出す（ＳＴ７）。
【００４９】
次に、故障情報送信部１Ｈは、ＩＰアドレスとテキストデータに関するデータとを含むパケットを作成し、作成したパケットを、通信ネットワークを介して接続された、ＩＰアドレスに該当する端末装置に送信する（ＳＴ８：テキストデータ送信工程）。
【００５０】
この結果、端末装置側では、ＷＷＷサーバから送信されたパケットに含まれる情報が端末装置の図示しないブラウザ部により解析され、例えば図３に示すように、画面上に表示される。
【００５１】
なお、本実施の形態では、故障情報送信部１Ｈは、パケットをＩＰアドレスに該当する端末装置に直接送信していたが、これに限らず、ＳＭＴＰのプロトコルに従って、テキストデータを含むメールを自動的に作成し、作成したメールを図示しないメールサーバに転送してもよいことはいうまでもない。
【００５２】
一方、ＷＷＷサーバ監視部１Ｄは、前述した工程ＳＴ３でＷＷＷサーバ自体に故障が発生していないと判定した場合（ＳＴ３：Ｎｏ）、前述の工程ＳＴ１に戻る。
【００５３】
上述したように本実施の形態によれば、ＷＷＷサーバ監視部１ＤによりＷＷＷサーバ自体に故障が発生したか否かが判定され、ＷＷＷサーバ監視部１Ｄにより当該ＷＷＷサーバ自体に異常が発生したと判定された場合に、送信元特定部１Ｇにより通信ネットワークを介して閲覧要求してきた端末装置のＩＰアドレスが通信ログ情報記憶部から読み出され、故障情報送信部１Ｈにより予め定められたテキストデータが取得されたＩＰアドレスに対応する端末装置に送信されるので、ＷＷＷサーバ自体に故障が発生した場合に、故障が発生したことを示すテキストデータを、通信ネットワークを介して不特定の端末装置にリアルタイムで送信することが出来る。
【００５４】
なお、上記一実施の形態に記載した手法は、コンピュータに実行させることの出来るプログラムとして、磁気ディスク（フロッピーディスク（登録商標）、ハードディスクなど）、光ディスク（ＣＤ−ＲＯＭ、ＤＶＤなど）、光磁気ディスク（ＭＯ）、半導体メモリなどの記憶媒体に格納して頒布することができる。
【００５５】
また、この記憶媒体としては、プログラムを記憶でき、かつコンピュータが読み取り可能な記憶媒体であれば、その記憶形式は、何れの形態であっても良い。
【００５６】
また、記憶媒体からコンピュータにインストールされたプログラムの指示に基づきコンピュータ上で稼動しているＯＳ（オペレーティングシステム）や、データベース管理ソフト、ネットワークソフト等のＭＷ（ミドルウェア）等が本発明の実施の形態を実現するための各処理の一部を実行しても良い。
【００５７】
さらに、本発明の実施の形態における記憶媒体は、コンピュータと独立した媒体に限らず、ＬＡＮやインターネット等により伝送されたプログラムをダウンロードして記憶または一時記憶した記憶媒体も含まれる。
【００５８】
また、記憶媒体は１つに限らず、複数の媒体から本発明の実施の形態における処理が実行される場合も本発明の実施の形態における記憶媒体に含まれ、媒体構成は何れの構成で有っても良い。
【００５９】
なお、本発明におけるコンピュータは、記憶媒体に記憶されたプログラムに基づき、本実施の形態における各処理を実行するものであって、パソコン等の１つからなる装置、複数の装置がネットワーク接続されたシステム等の何れの構成であっても良い。
【００６０】
また、本発明におけるコンピュータとは、パソコンに限らず、情報処理機器に含まれる演算処理装置、マイコン等も含み、プログラムによって本発明の機能を実現することが可能な機器、装置を総称している。
【００６１】
なお、プログラムのソースコードは、上記の機能を実現するものであれば、例えば、Ｃ（登録商標）、Ｃ＋＋（登録商標）、Ｃシャープ、Ａｐａｃｈｅ、ＰＨＰ、又はＪＡＶＡ（登録商標）等、どのようなプログラミング言語で記述されたものであっても良い。
【００６２】
なお、本発明は、上記一実施の形態に限定されるものでなく、実施段階ではその要旨を逸脱しない範囲で、種々に変形することが可能である。
【００６３】
例えば本実施の形態に係るプログラムは、ＷＷＷサーバのコンピュータにインストールされていたが、これに限らず、本実施の形態に係るプログラムは、メールサーバ、ＦＴＰサーバ、データベースサーバ、及びユーザアプリケーションサーバのうちの何れのコンピュータにインストールされていてもよい。この場合、上述の説明中の「ＷＷＷサーバ」の文言を、適宜、「メールサーバ」、「ＦＴＰサーバ」「データベースサーバ」、及び「ユーザアプリケーションサーバ」のうちの何れかに読み替えるものとする。
【００６４】
さらに、上記一実施の形態には、種々の段階の発明が含まれており、開示されている複数の構成要件における適宜な組み合わせにより種々の発明が抽出され得る。例えば、実施の形態に示されている全構成要件から幾つかの構成要件が省略されることで発明が抽出された場合には、その抽出された発明を実施する場合には、省略部分が周知慣用技術で適宜補われるものである。
【００６５】
その他、本発明は、その要旨を逸脱しない範囲で種々変形して実施できる。
【００６６】
【発明の効果】
以上詳述したように本発明によれば、ＷＷＷサーバ自体に故障が発生した場合に、故障が発生したことを示すテキストデータを、通信ネットワークを介して接続された不特定の端末装置にリアルタイムで送信することを可能にするＷＷＷサーバ、ＷＷＷサーバの故障情報提供方法、及びプログラムを提供できる。
【図面の簡単な説明】
【図１】本発明に係るＷＷＷサーバの構成例を示す模式図。
【図２】本発明に係るＷＷＷサーバの動作を説明するためのフローチャート。
【図３】本実施の形態に係る端末装置の画面上の表示の一例を示す模式図。
【符号の説明】
１…ＷＷＷサーバ
１Ａ…送信テキストデータ入力部
１Ｂ…送信テキストデータ登録部
１Ｃ…送信テキストデータ記憶部
１Ｄ…ＷＷＷサーバ監視部
１Ｅ…ＷＷＷサーバプロセス部
１Ｆ…通信ログファイル記憶部
１Ｇ…送信元特定部
１Ｈ…故障情報送信部
【図１】
2004133546.tif 000003
【図２】
2004133546.tif 000004
【図３】
2004133546.tif 000005